【手続補正書】
【提出日】平成18年9月27日(2006.9.27)
【手続補正１】
【補正対象書類名】明細書
【補正対象項目名】発明の名称
【補正方法】変更
【補正の内容】
【発明の名称】画像記憶装置とその制御方法及びプログラムとその記録媒体
【手続補正２】
【補正対象書類名】特許請求の範囲
【補正対象項目名】全文
【補正方法】変更
【補正の内容】
【特許請求の範囲】
【請求項１】
画像データを記憶する記憶手段と、
前記記憶手段の画像データを削除する削除手段と、
外部装置と通信する通信手段と、
前記削除手段の動作開始を指示する操作手段と、
前記操作手段により前記削除手段の動作開始が指示された場合、前記通信手段により前記記憶手段内の画像データと同じ画像データが通信先である外部装置に存在するか否かを問い合わせ、前記画像データが前記外部装置に存在する場合には前記削除手段により前記画像データを削除する制御手段とを備えたこと特徴とする画像記憶装置。
【請求項２】
前記記憶手段内の画像データと同じ画像データが通信先である外部装置に存在するか否かは、ファイル名、ファイルサイズ及び撮影日時の全てが一致するか否かで判断する請求項１に記載の画像記憶装置。
【請求項３】
前記通信先である外部装置に前記画像データが存在しない場合には、前記問い合わせを予め登録された他の外部装置に対して行う事を特徴とする請求項１又は２に記載の画像記憶装置。
【請求項４】
さらに、前記記憶手段に記憶する画像データを撮像する撮像手段を備え、デジタルカメラとしても機能する事を特徴とする請求項１乃至３のいずれか一項に記載の画像記憶装置。
【請求項５】
画像データを記憶装置に記憶する記憶ステップと、
前記記憶ステップで記憶された画像データを削除する削除ステップと、
外部装置と通信する通信ステップと、
前記削除ステップの動作開始を指示する操作ステップと、
前記操作ステップにより前記削除ステップの動作開始が指示された場合、前記通信ステップにより前記記憶装置内の画像データと同じ画像データが通信先である外部装置に存在するか否かを問い合わせ、前記画像データが前記外部装置に存在する場合には前記削除ステップにより前記画像データを削除する制御ステップとを備えたこと特徴とする画像記憶装置の制御方法。
【請求項６】
前記記憶装置内の画像データと同じ画像データが通信先である外部装置に存在するか否かは、ファイル名、ファイルサイズ及び撮影日時の全てが一致するか否かで判断する請求項５に記載の画像記憶装置の制御方法。
【請求項７】
前記通信先である外部装置に前記画像データが存在しない場合には、前記問い合わせを予め登録された他の外部装置に対して行う事を特徴とする請求項５又は６に記載の画像記憶装置の制御方法。
【請求項８】
さらに、前記記憶装置に記憶する画像データを撮像装置で撮像する撮像ステップを備え、デジタルカメラとしても機能する事を特徴とする請求項５乃至７のいずれか一項に記載の画像記憶装置の制御方法。
【請求項９】
請求項５乃至８のいずれか一項に記載の画像記憶装置の制御方法の各ステップをコンピュータに実行させるためのプログラム。
【請求項１０】
請求項９に記載のプログラムを記録したコンピュータ読み取り可能な記録媒体。
【手続補正３】
【補正対象書類名】明細書
【補正対象項目名】０００１
【補正方法】変更
【補正の内容】
【０００１】
本発明は画像記憶装置とその制御方法及びプログラムとその記録媒体に関し、特にメモリ内の画像データを削減する技術に関する。
【手続補正４】
【補正対象書類名】明細書
【補正対象項目名】０００５
【補正方法】変更
【補正の内容】
【０００５】
本発明の目的は、上記の欠点を取り除き、操作性がよくかつ短時間でメモリの空き容量を生成することができる画像記憶装置とその制御方法及びプログラムとその記録媒体を提供することである。
【手続補正５】
【補正対象書類名】明細書
【補正対象項目名】０００６
【補正方法】変更
【補正の内容】
【０００６】
本発明に係る画像記憶装置は、画像データを記憶する記憶手段と、前記記憶手段の画像データを削除する削除手段と、外部装置と通信する通信手段と、前記削除手段の動作開始を指示する操作手段と、前記操作手段により前記削除手段の動作開始が指示された場合、前記通信手段により前記記憶手段内の画像データと同じ画像データが通信先である外部装置に存在するか否かを問い合わせ、前記画像データが前記外部装置に存在する場合には前記削除手段により前記画像データを削除する制御手段とを備えたこと特徴とする。
【手続補正６】
【補正対象書類名】明細書
【補正対象項目名】０００７
【補正方法】変更
【補正の内容】
【０００７】
本発明に係るデジタルカメラとしても機能する画像記憶装置は、画像データを記憶する記憶手段と、前記記憶手段の画像データを削除する削除手段と、外部装置と通信する通信手段と、前記削除手段の動作開始を指示する操作手段と、前記記憶手段に記憶する画像データを撮像する撮像手段とを備え、前記操作手段により前記削除手段の動作開始が指示された場合、前記通信手段により前記記憶手段内の画像データと同じ画像データが通信先である外部装置に存在するか否かを問い合わせ、前記画像データが前記外部装置に存在する場合には前記削除手段により前記画像データを削除する制御手段を備えたこと特徴とする。
【手続補正７】
【補正対象書類名】明細書
【補正対象項目名】０００８
【補正方法】変更
【補正の内容】
【０００８】
本発明に係る画像記憶装置の制御方法は、画像データを記憶装置に記憶する記憶ステップと、前記記憶ステップで記憶された画像データを削除する削除ステップと、外部装置と通信する通信ステップと、前記削除ステップの動作開始を指示する操作ステップと、前記操作ステップにより前記削除ステップの動作開始が指示された場合、前記通信ステップにより前記記憶装置内の画像データと同じ画像データが通信先である外部装置に存在するか否かを問い合わせ、前記画像データが前記外部装置に存在する場合には前記削除ステップにより前記画像データを削除する制御ステップとを備えたこと特徴とする。
【手続補正８】
【補正対象書類名】明細書
【補正対象項目名】０００９
【補正方法】変更
【補正の内容】
【０００９】
本発明に係るデジタルカメラとしても機能する画像記憶装置の制御方法は、画像データを記憶装置に記憶する記憶ステップと、前記記憶ステップで記憶された画像データを削除する削除ステップと、外部装置と通信する通信ステップと、前記削除ステップの動作開始を指示する操作ステップと、前記記憶装置に記憶する画像データを撮像装置で撮像する撮像ステップとを備え、前記操作ステップにより前記削除ステップの動作開始が指示された場合、前記通信ステップにより前記記憶装置内の画像データと同じ画像データが通信先である外部装置に存在するか否かを問い合わせ、前記画像データが前記外部装置に存在する場合には前記削除ステップにより前記画像データを削除する制御ステップを備えたこと特徴とする。
【手続補正９】
【補正対象書類名】明細書
【補正対象項目名】００９５
【補正方法】削除
【補正の内容】
【手続補正１０】
【補正対象書類名】明細書
【補正対象項目名】００９６
【補正方法】削除
【補正の内容】
【手続補正１１】
【補正対象書類名】明細書
【補正対象項目名】００９７
【補正方法】削除
【補正の内容】
【手続補正１２】
【補正対象書類名】明細書
【補正対象項目名】００９８
【補正方法】削除
【補正の内容】
【手続補正１３】
【補正対象書類名】明細書
【補正対象項目名】００９９
【補正方法】削除
【補正の内容】
【手続補正１４】
【補正対象書類名】明細書
【補正対象項目名】０１００
【補正方法】削除
【補正の内容】
【手続補正１５】
【補正対象書類名】明細書
【補正対象項目名】０１０１
【補正方法】削除
【補正の内容】